(57)【要約】【課題】スライダーがどの位置にあってもロックすることができるスライドファスナーの施錠構造を提供する。【解決手段】スライドファスナーの施錠構造１００は、第１のスライダー１０、第２のスライダー２０、ロック装置３０、ロック部材及び少なくとも１つのロック機構５０を備える。ロック装置３０は、互いに分離可能な第１の錠本体３１及び第２の錠本体３２を有する。第１の錠本体３１は、第１のスライダー１０に接続される。第２の錠本体３２は、第２のスライダー２０に接続される。ロック部材は、第１の錠本体３１に設けられるとともに、第２の錠本体３２に掛止される。ロック機構５０は、第１の錠本体３１又は第２の錠本体３２に設けられるとともに、ロック部材をロックする。【選択図】図１
0003223272.tif 000002
【実用新案登録請求の範囲】
【請求項１】
第１のスライダー、第２のスライダー、ロック装置、ロック部材及び少なくとも１つのロック機構を備えた、スライドファスナーの施錠構造であって、
前記ロック装置は、互いに分離可能な第１の錠本体及び第２の錠本体を有し、前記第１の錠本体は、前記第１のスライダーに接続され、前記第２の錠本体は、前記第２のスライダーに接続され、
前記ロック部材は、前記第１の錠本体に設けられるとともに、前記第２の錠本体に掛止され、
前記ロック機構は、前記第１の錠本体又は前記第２の錠本体に設けられるとともに、前記ロック部材をロックすることを特徴とするスライドファスナーの施錠構造。
【請求項２】
前記第１の錠本体及び前記第２の錠本体は、接合面をそれぞれ有し、
前記接合面上には、少なくとも１つの磁石が設けられることを特徴とする請求項１に記載のスライドファスナーの施錠構造。
【請求項３】
前記第２の錠本体には、ロック部材リリースボタンが設けられることを特徴とする請求項１に記載のスライドファスナーの施錠構造。
【請求項４】
前記ロック機構はキーロック機構又はダイヤル錠機構であることを特徴とする請求項１に記載のスライドファスナーの施錠構造。
【請求項５】
前記ロック装置には、前記ロック機構が複数設けられることを特徴とする請求項１に記載のスライドファスナーの施錠構造。
【請求項６】
前記ロック機構は、前記第１の錠本体に設けられた第１のロック機構と、前記第２の錠本体に設けられた第２のロック機構と、をそれぞれ含むことを特徴とする請求項５に記載のスライドファスナーの施錠構造。
【請求項７】
前記ロック機構は、前記第２の錠本体に設けられた第１のロック機構及び第２のロック機構を含むことを特徴とする請求項５に記載のスライドファスナーの施錠構造。
【考案の詳細な説明】
【技術分野】
【０００１】
本考案は、スーツケースに応用し、スライダーに結合可能なスライドファスナーの施錠構造に関する。
【背景技術】
【０００２】
スライドファスナーの施錠構造は、スーツケースにとって必要不可欠な基本的装備の一つである。しかし、スライドファスナーの施錠構造は、スーツケースの固定式構造に属するため、スライダーの引手をスライドファスナーの施錠構造に挿入してロックするには、スライドファスナーの施錠構造近くの特定位置にスライダーの位置を戻す必要があった。
【考案の概要】
【考案が解決しようとする課題】
【０００３】
本考案の目的は、スライダーがどの位置にあってもロックすることができるスライドファスナーの施錠構造を提供することにある。
【課題を解決するための手段】
【０００４】
上記課題を解決するために、本考案の第１の形態によれば、第１のスライダー、第２のスライダー、ロック装置、ロック部材及び少なくとも１つのロック機構を備えた、スライドファスナーの施錠構造であって、前記ロック装置は、互いに分離可能な第１の錠本体及び第２の錠本体を有し、前記第１の錠本体は、前記第１のスライダーに接続され、前記第２の錠本体は、前記第２のスライダーに接続され、前記ロック部材は、前記第１の錠本体に設けられるとともに、前記第２の錠本体に掛止され、前記ロック機構は、前記第１の錠本体又は前記第２の錠本体に設けられるとともに、前記ロック部材をロックすることを特徴とするスライドファスナーの施錠構造が提供される。
【０００５】
前記第１の錠本体及び前記第２の錠本体は、接合面をそれぞれ有し、前記接合面上には、少なくとも１つの磁石が設けられることが好ましい。
【０００６】
前記第２の錠本体には、ロック部材リリースボタンが設けられることが好ましい。
【０００７】
前記ロック機構はキーロック機構又はダイヤル錠機構であることが好ましい。
【０００８】
前記ロック装置には、前記ロック機構が複数設けられることが好ましい。
【０００９】
前記ロック機構は、前記第１の錠本体に設けられた第１のロック機構と、前記第２の錠本体に設けられた第２のロック機構と、をそれぞれ含むことが好ましい。
【００１０】
前記ロック機構は、前記第２の錠本体に設けられた第１のロック機構及び第２のロック機構を含むことが好ましい。
【考案の効果】
【００１１】
本考案のスライドファスナーの施錠構造は、スライダーがどの位置にあってもロックすることができる。
【図面の簡単な説明】
【００１２】
【図１】図１は、本考案の第１実施形態に係るスライドファスナーの施錠構造の組立状態を示す斜視図である。
【図２】図２は、本考案の第１実施形態に係るスライドファスナーの施錠構造の分離状態を示す斜視図である。
【図３】図３は、本考案の第１実施形態に係るスライドファスナーの施錠構造の分離状態を示す分解斜視図である。
【図４】図４は、本考案の第１実施形態に係るスライドファスナーの施錠構造の分離状態を示す正面図である。
【図５】図５は、本考案の第１実施形態に係るスライドファスナーの施錠構造の組立状態を示す断面図である。
【図６】図６は、本考案の第１実施形態に係るスライドファスナーの施錠構造の使用状態の説明図（１）である。
【図７】図７は、本考案の第１実施形態に係るスライドファスナーの施錠構造の使用状態の説明図（２）である。
【図８】図８は、本考案の第２実施形態に係るスライドファスナーの施錠構造の組立状態を示す斜視図である。
【図９】図９は、本考案の第２実施形態に係るスライドファスナーの施錠構造の分離状態を示す斜視図である。
【図１０】図１０は、本考案の第２実施形態に係るスライドファスナーの施錠構造の分離状態を示す分解斜視図である。
【図１１】図１１は、本考案の第２実施形態に係るスライドファスナーの施錠構造の組立状態を示す正面図である。
【図１２】図１２は、本考案の第２実施形態に係るスライドファスナーの施錠構造の組立状態を示す断面図である。
【図１３】図１３は、本考案の第２実施形態に係るスライドファスナーの施錠構造の使用状態の説明図（１）である。
【図１４】図１４は、本考案の第２実施形態に係るスライドファスナーの施錠構造の使用状態の説明図（２）である。
【考案を実施するための形態】
【００１３】
以下、本考案の目的、特徴及び効果をより分かりやすくするために、具体的な実施形態について図に基づいて詳しく説明する。
【００１４】
本考案は、スライドファスナー用スライダー上に結合するスライドファスナーの施錠構造である。
【００１５】
（第１実施形態）
図１〜図４を参照する。図１〜図４に示すように、本考案の第１実施形態に係るスライドファスナーの施錠構造１００は、少なくとも第１のスライダー１０、第２のスライダー２０及びロック装置３０から構成されてなる。
【００１６】
上述したロック装置３０は、互いに分離可能な第１の錠本体３１及び第２の錠本体３２を含む。第１の錠本体３１は、第１のスライダー１０に接続される。第２の錠本体３２は、第２のスライダー２０に接続される。第１の錠本体３１及び第２の錠本体３２のロックハウジング（ｌｏｃｋ  ｈｏｕｓｉｎｇ）３１１，３２１は、接合面３１２，３２２をそれぞれ有し、第１の錠本体３１と第２の錠本体３２とが接合面３１２，３２２を介して組み合わされて接続される。
【００１７】
上述した第１の錠本体３１には、第２の錠本体３２を掛止するロック部材３３が設けられる。第１の錠本体３１のロックハウジング３１１には、第１のロック機構４０が設けられる。
【００１８】
上述した第２の錠本体３２には、ロック部材３３が挿入可能な差込孔３２３が形成される。ロックハウジング３２１には、第２のロック機構５０が設けられる。また、ロックハウジング３２１には、ロック部材３３を掛止するラッチ３２４と、ロック部材リリースボタン３２５と、が設けられる。
【００１９】
以上の説明から分かるように、第１実施形態のスライドファスナーの施錠構造１００は、１対のスライダー１０，２０を含む。上述した１対のスライダー１０，２０上には、錠本体３１，３２が接続される。上述した１対の錠本体３１，３２は、互いにロック可能であり、２つのスライダー１０，２０はロックされると分離されなくなる。
【００２０】
図５を参照する。図５は、第１の錠本体３１と第２の錠本体３２とを組み合わせて接続し、ロック部材３３によりロックされた状態を示す。
【００２１】
第１の錠本体３１と第２の錠本体３２とのロック関係は、第１のロック機構４０又は第２のロック機構５０により解除することができる。第１実施形態において、第１の錠本体３１に設けた第１のロック機構４０は、キーロック機構であり、鍵により操作してロック部材３３を回転させ（図６を参照する）、第２の錠本体３２の差込孔３２３からロック部材３３を抜き出すと、第１の錠本体３１と第２の錠本体３２とのロック関係を解除することができる。
【００２２】
また、第１の錠本体３１と第２の錠本体３２とのロック関係は、第２のロック機構５０により解除することもできる。第１実施形態において、第２の錠本体３２に設置した第２のロック機構５０はダイヤル錠機構であり、ダイヤルリング５１を回転させて正しい数字に組み合わせると、ロック部材リリースボタン３２５によりラッチ３２４を移動することができるようになり（図７を参照する）、第２の錠本体３２の差込孔３２３からロック部材３３を抜き出し、第１の錠本体３１と第２の錠本体３２とのロックを解除することができる。
【００２３】
（第２実施形態）
図８〜図１１を参照する。図８〜図１１に示すように、本考案の第２実施形態に係るスライドファスナーの施錠構造１００は、少なくとも第１のスライダー１０、第２のスライダー２０及びロック装置３０から構成されてなる。
【００２４】
上述したロック装置３０は、互いに分離可能な第１の錠本体３１及び第２の錠本体３２を含む。第１の錠本体３１は、第１のスライダー１０に接続される。第２の錠本体３２は、第２のスライダー２０に接続される。第１の錠本体３１及び第２の錠本体３２のロックハウジング３１１，３２１は、接合面３１２，３２２をそれぞれ有し、第１の錠本体３１と第２の錠本体３２とが接合面３１２，３２２を介して組み合わされて接続される。第２実施形態において、第１の錠本体３１及び第２の錠本体３２は、接合面３１２，３２２において対応するように位置合わせして吸着する少なくとも１つの磁石６０を有する。
【００２５】
上述した第１の錠本体３１は、掛止部材３４を有する。
【００２６】
上述した第２の錠本体３２には、掛止部材３４に掛止する可動型ストッパ３５が設けられる。ロックハウジング３２１には、第１のロック機構４０及び第２のロック機構５０が設けられる。
【００２７】
図１２及び図１３を参照する。図１２及び図１３は、第１の錠本体３１と第２の錠本体３２とが組み合わされて接続され、可動型ストッパ３５が掛止部材３４に掛止されたロック状態を示す。
【００２８】
第１の錠本体３１と第２の錠本体３２とのロック関係は、第１のロック機構４０又は第２のロック機構５０により解除してもよい。第２実施形態において、第２の錠本体３２に設置した第１のロック機構４０は、キーロック機構であり、鍵により操作し、第２の錠本体３２に設けた連結ロッド３６により、可動型ストッパ３５を直接的又は間接的に掛止部材３４と掛止しない位置まで移動させると（図１４を参照する）、第１の錠本体３１と第２の錠本体３２とのロック関係を解除することができる。
【００２９】
また、第１の錠本体３１と第２の錠本体３２とのロック関係は、第２のロック機構５０により解除することもできる。第２実施形態において、第２の錠本体３２に設けた第２のロック機構５０はダイヤル錠機構であり、ダイヤルリング５１を回転させて正しい数字に組み合わした後、第２の錠本体３２に配設した押さえ板３７により、可動型ストッパ３５を直接的又は間接的に掛止部材３４に掛止しない位置まで移動させると（図１４を参照する）、第１の錠本体３１と第２の錠本体３２とのロック関係を解除することができる。
【００３０】
上述したことから分かるように、本考案のスライドファスナーの施錠構造１００は、従来のスライダーの引手の代替として第１の錠本体３１及び第２の錠本体３２を用い、１対の錠本体３１，３２同士をロックすることにより、２つのスライダー１０，２０をロックして分離しないようにすることができる。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３２】
１０  第１のスライダー
２０  第２のスライダー
３０  ロック装置
３１  第１の錠本体
３２  第２の錠本体
３３  ロック部材
３４  掛止部材
３５  可動型ストッパ
３６  連結ロッド
３７  押さえ板
４０  第１のロック機構
５０  第２のロック機構
５１  ダイヤルリング
６０  磁石
１００  スライドファスナーの施錠構造
３１１  ロックハウジング
３１２  接合面
３２１  ロックハウジング
３２２  接合面
３２３  差込孔
３２４  ラッチ
３２５  ロック部材リリースボタン
【図１】
0003223272.tif 000003
【図２】
0003223272.tif 000004
【図３】
0003223272.tif 000005
【図４】
0003223272.tif 000006
【図５】
0003223272.tif 000007
【図６】
0003223272.tif 000008
【図７】
0003223272.tif 000009
【図８】
0003223272.tif 000010
【図９】
0003223272.tif 000011
【図１０】
0003223272.tif 000012
【図１１】
0003223272.tif 000013
【図１２】
0003223272.tif 000014
【図１３】
0003223272.tif 000015
【図１４】
0003223272.tif 000016